(57)【要約】【課題】画面の解像度が異なる複数の表示装置を用いてマルチディスプレイを実現する。【解決手段】表示装置（１）は、第１タッチと、第１タッチと略同時に検出された第２タッチとを１対のタッチとして、互いに位置の異なる複数回の上記１対のタッチ入力を検出する開始操作検出部（１２）と、複数回の上記１対のタッチから結合辺を特定する結合辺特定部（１３）と、複数の上記１対のタッチから画素密度比を算出する画素密度比算出部（１４）とを備える。【選択図】図１
2016051110.tif 000002
【特許請求の範囲】
【請求項１】
第１タッチパネルを備え、上記第１タッチパネルと結合辺で隣接している第２タッチパネルを備える第２表示装置と連動し画像を表示する表示装置であって、
上記第１タッチパネルの１辺を含む所定の領域である第１端部領域に対する第１タッチ入力と、上記第１タッチ入力と略同時に検出された、上記第２タッチパネルの１辺を含む所定の領域である第２端部領域に対する第２タッチ入力とを１対のタッチ入力として、互いに位置の異なる複数回の上記１対のタッチ入力を検出する検出手段と、
上記検出手段が検出した複数回の上記１対のタッチ入力の上記第１タッチパネルおよび上記第２タッチパネルにおける位置から、上記第１タッチパネルおよび上記第２タッチパネルの上記結合辺を特定する結合辺特定手段と、
上記検出手段が検出した複数回の上記１対のタッチ入力の上記第１タッチパネルおよび上記第２タッチパネルにおける位置から、上記第１タッチパネルおよび上記第２タッチパネルの画素密度比を算出する画素密度比算出手段と、を備えることを特徴とする表示装置。
【請求項２】
上記結合辺特定手段が特定した上記結合辺と、
上記第１タッチパネルおよび上記第２タッチパネルの表示画素数と、
上記画素密度比算出手段が算出した上記画素密度比とに基づいて、
上記第１タッチパネルおよび上記第２タッチパネルにそれぞれ表示するための画像を、上記第１タッチパネルおよび上記第２タッチパネルのそれぞれの表示領域の大きさに応じた大きさで作成する画像作成手段を備えることを特徴とする、請求項１に記載の表示装置。
【請求項３】
上記結合辺特定手段が特定した上記結合辺と、
上記第１タッチパネルおよび上記第２タッチパネルの表示画素数と、
上記画素密度比算出手段が算出した上記画素密度比と、
上記複数回のうちの少なくとも１回の上記１対のタッチ入力の上記第１タッチパネルおよび上記第２タッチパネルにおける位置とに基づいて、
上記第１タッチパネルに対する上記第２タッチパネルの位置を特定する位置特定手段を備えることを特徴とする、請求項２に記載の表示装置。
【請求項４】
第２タッチパネルを備え、上記第２タッチパネルと結合辺で隣接している第１タッチパネルを備える第１表示装置と連動し画像を表示する表示装置であって、
上記第１タッチパネルの１辺を含む所定の領域である第１端部領域に対する第１タッチ入力と、上記第１タッチ入力と略同時に検出された、上記第２タッチパネルの１辺を含む所定の領域である第２端部領域に対する第２タッチ入力とを１対のタッチ入力として、互いに位置の異なる複数回の上記１対のタッチ入力を上記第１表示装置が検出するために、複数回の上記第２タッチ入力の位置を示す情報を上記第１表示装置に送信するタッチ入力送信手段と、を備えることを特徴とする表示装置。
【請求項５】
請求項１から３のいずれか１項に記載の表示装置としてコンピュータを機能させるための表示制御プログラムであって、コンピュータを上記各手段として機能させるための表示制御プログラム。
【発明の詳細な説明】
【技術分野】
【０００１】
本発明は、複数の表示装置が連動して画像を表示する表示装置等に関する。
【背景技術】
【０００２】
近年、複数の表示装置を連動させて画像を表示させるマルチディスプレイを実現するための装置が開発されている。例えば、特許文献１には、複数の装置に対する連続的な入力を受け付け、当該入力の開始座標および終了座標と表示部のサイズとを用いてマルチディスプレイ表示を実現する技術が開示されている。
【先行技術文献】
【特許文献】
【０００３】
【特許文献１】特開２０１２−１３３０６８号公報（２０１２年７月１２日公開）
【特許文献２】特開２０１３−２４６５８３号公報（２０１３年１２月９日公開）
【特許文献３】特開２０１０−０９７３４０号公報（２０１０年４月３０日公開）
【発明の概要】
【発明が解決しようとする課題】
【０００４】
ところで、マルチディスプレイを実現するにあたり、各装置に画像を適切に表示させるためには、各装置の画面の解像度に合致した画像を作成する必要がある。具体的には、マルチディスプレイを実現する装置間でディスプレイの解像度が異なる場合、ｄｐｉ（dot per inch）など、各装置の画面の物理サイズを取得し、表示用の画像が装置の画面の物理サイズに合致するように拡大（画素の補完）または縮小（画素の間引き）する必要がある。そのため、上述した先行技術を用いても、マルチディスプレイを実現する装置のいずれかが上記物理サイズの情報を保持していない場合、適切に画像を表示できないという問題があった。
【０００５】
本発明は上記問題点に鑑みたものであり、その目的は、画面の解像度が異なる複数の表示装置を用いてマルチディスプレイを実現することにある。
【課題を解決するための手段】
【０００６】
上記の課題を解決するために、本発明の一態様に係る表示装置は、第１タッチパネルを備え、上記第１タッチパネルと結合辺で隣接している第２タッチパネルを備える第２表示装置と連動し画像を表示する表示装置であって、上記第１タッチパネルの１辺を含む所定の領域である第１端部領域に対する第１タッチ入力と、上記第１タッチ入力と略同時に検出された、上記第２タッチパネルの１辺を含む所定の領域である第２端部領域に対する第２タッチ入力とを１対のタッチ入力として、互いに位置の異なる複数回の上記１対のタッチ入力を検出する検出手段と、上記検出手段が検出した複数回の上記１対のタッチ入力の上記第１タッチパネルおよび上記第２タッチパネルにおける位置から、上記第１タッチパネルおよび上記第２タッチパネルの上記結合辺を特定する結合辺特定手段と、上記検出手段が検出した複数回の上記１対のタッチ入力の上記第１タッチパネルおよび上記第２タッチパネルにおける位置から、上記第１タッチパネルおよび上記第２タッチパネルの画素密度比を算出する画素密度比算出手段と、を備えることを特徴とする。
【発明の効果】
【０００７】
本発明の一態様によれば、画面の解像度が異なる複数の表示装置を用いてマルチディスプレイを実現することができるという効果を奏する。
【図面の簡単な説明】
【０００８】
【図１】本発明の実施形態１に係る表示制御システムに含まれる第１表示装置および第２表示装置の要部構成を示すブロック図である。
【図２】上記第１表示装置および上記第２表示装置に対する開始操作の具体例を示す図である。
【図３】上記第１表示装置の同期処理の流れを示すフローチャートである。
【図４】上記第１表示装置における部分画像作成処理を示すフローチャートである。
【図５】上記第１表示装置および上記第２表示装置における開始操作の始点および終点を示す図である。
【図６】（ａ）は上記第１表示装置および上記第２表示装置の画面サイズと結合辺とを示す。（ｂ）は（ａ）に示す上記第１表示装置にて作成される仮想画面の画像を示す。（ｃ）は（ｂ）に示す仮想画面の画像から作成される部分画像を示す図である。（ｄ）は（ｃ）に示した部分画像をタッチパネルに表示した例を示す。
【図７】上記表示制御システムの処理の流れを示すフローチャートである。
【図８】本発明の実施形態３に係る表示制御システムにおける第１表示装置、第２表示装置、および第３表示装置の動作例を示す図である。
【発明を実施するための形態】
【０００９】
〔実施形態１〕
以下、本発明の第１の実施形態について、図１〜７を用いて説明する。図１は、本発明に係る表示制御システム１００に含まれる第１表示装置（表示装置）１および第２表示装置（表示装置）２の要部構成を示すブロック図である。本実施形態に係る表示制御システム１００は、第１表示装置１および第２表示装置２が連動して画像を表示する（マルチディスプレイを実現する）ためのシステムである。表示制御システム１００は、第１表示装置１および第２表示装置２が互いに同期通信を確立した後、マルチディスプレイの開始を指示するための所定の操作が第１表示装置１および第２表示装置２に対し略同時に行われるとマルチディスプレイに係る処理制御を開始する構成である。なお、上記同期通信の確立方法については後で詳述する。
【００１０】
（表示制御システム１００）
第１表示装置１は、第２表示装置２から取得した情報と、自装置にて取得した情報とから、自装置および第２表示装置２がそれぞれ表示するための画像を作成する装置である。換言すると第１表示装置１は、表示制御システム１００において、マルチディスプレイのための画像を作成する「親機」である。一方第２表示装置２は、自装置で得た情報を親機である第１表示装置１に送信することと、第１表示装置１から第２表示装置２用の画像を受信および表示することができればよい。換言すると、第２表示装置２は、表示制御システム１００においてマルチディスプレイのための画像を自装置では作成しない「子機」である。
【００１１】
なお、本実施形態に係る表示制御システム１００では親機を第１表示装置１、子機を第２表示装置２としているが、第１表示装置１および第２表示装置２のいずれを親機とし、いずれを子機とするかは予め定められていてもよいし、ユーザが自由に設定可能であってもよい。また、表示装置同士の同期通信を確立する際に、各表示装置が親機であるか子機であるかを決定してもよい。なお、第２表示装置２が親機となる場合は、第２表示装置２は以下で説明する第１第１表示装置１の構成と同様の構成を備えていればよい。
【００１２】
（第１表示装置１の要部構成）
第１表示装置１は、タッチパネル２０（第１タッチパネル）と、通信部３０と、記憶部４０と、制御部１０とを含む。タッチパネル２０は、ユーザのタッチ入力を受け付ける入力部２１と、画像を表示する表示部２２とが重畳して形成された入力および表示用パネルである。通信部３０は、表示装置と同期通信を行う。記憶部４０は、第１表示装置１の表示部２２の画面サイズを示す情報を格納する。なお、画面サイズとは、タッチパネル２０（表示部２２）の物理的なサイズではなく、縦横の表示画素数を示す。また、記憶部４０は、第１表示装置１と第２表示装置２との同期通信を制御する同期用アプリケーション（同期用アプリ）を格納する。さらに、記憶部４０は、第１表示装置１および第２表示装置２にてマルチディスプレイで表示するための画像を格納していてもよい。
【００１３】
制御部１０は、第１表示装置１の各部を統括的に制御するものである。制御部１０は、より詳しくは、タッチ取得部１１と、開始操作検出部（検出手段）１２と、結合辺特定部（結合辺特定手段）１３と、画素密度比算出部（画素密度比算出手段）１４と、位置特定部（位置特定手段）１５と、仮想画面生成部１６と、部分画像作成部（画像作成手段）１７とを含む。なお、制御部１０は、通信部３０を介して、第１表示装置１および第２表示装置２が連動して表示する画像の取得も行う。制御部１０は当該画像を記憶部４０から読み出してもよいし、通信部３０を介してインターネット上からダウンロードしてもよい。また、制御部１０は同期用アプリを動作させ、第１表示装置１と第２表示装置２との同期通信を確立するための各種処理（同期処理）も行う。
【００１４】
タッチ取得部１１は、入力部２１からタッチを示す電気信号を取得し、当該タッチのタッチ座標を算出するものである。なお、本発明において「タッチ座標」は、入力部の入力面におけるタッチ座標（当該タッチパネルの検出解像度における座標）を、表示部の表示面における座標（表示面上で、縦横何画素目をタッチしたか）を示す値に換算したものを示す。タッチ取得部１１は算出したタッチ座標を開始操作検出部１２へと送信する。
【００１５】
開始操作検出部１２は、第１表示装置１と第２表示装置２とを用いたマルチディスプレイの開始を指示する操作が行われたか否かを判定する。なお、以降はマルチディスプレイの開始を指示する操作を単に「開始操作」と称する。開始操作検出部１２は、タッチ取得部１１から受信したタッチ座標と、後述する第２表示装置２から受信したタッチ座標とに基づき、開始操作が行われたか否かを判定する。より詳しくは、開始操作検出部１２は、タッチパネル２０のある１辺の端部と、タッチパネル６０のある１辺の端部とに略同時にタッチが行われ、かつ、当該略同時のタッチが所定時間内に複数回起こった場合に、これらのタッチが一連の開始操作を示すと判定する。開始操作検出部１２は、さらに詳しくは、同時タッチ判定部１２Ｂと、端部タッチ判定部１２Ａと、複数タッチ判定部１２Ｃとを含んでいる。
【００１６】
（開始操作検出の詳細）
端部タッチ判定部１２Ａは、タッチパネル２０へのタッチとタッチパネル６０へのタッチとがいずれもタッチパネルの端部へのタッチ（端部タッチ）であるか否かを判定する。具体的には、端部タッチ判定部１２Ａはタッチ座標が、当該タッチ座標を検出したタッチパネルの入力面のいずれかの１辺を含む所定の領域（端部領域）に含まれる座標である場合、当該タッチ座標に係るタッチが端部タッチであると判定する。以降、タッチ取得部１１が取得した端部タッチを「第１タッチ（第１タッチ入力）」と称し、第１タッチの座標を「第１タッチ座標」と称する。また、表示装置から受信した端部タッチを「第２タッチ（第２タッチ入力）」と称し、第２タッチの座標を「第２タッチ座標」と称する。同時タッチ判定部１２Ｂは、第１タッチと第２タッチとが略同時（例えば、予め定められた時間内）に行われたものか否かを判定する。具体的には、同時タッチ判定部１２Ｂは、開始操作検出部１２が第１タッチ座標と第２タッチ座標とを所定時間内に受信した場合、第１タッチと第２タッチとが略同時に行われたと判定する。端部タッチ判定部１２Ａは第１タッチ座標と第２タッチ座標とを対応付ける。すなわち、第１タッチと第２タッチを１対のタッチとして対応付ける。複数タッチ判定部１２Ｃは、所定時間内に、タッチパネル２０および６０の同じ辺（同じ辺の組み合わせ）に対し、互いに位置の異なる１対のタッチが複数回行われたか否かを判定する。
【００１７】
開始操作検出部１２は複数タッチ判定部１２Ｃが複数回、上記１対のタッチがあったと判定した場合、これら複数対のタッチを一連の開始操作として検出する。より詳しくは、開始操作検出部１２はこれら複数回の１対のタッチのうち、最も距離の離れた２対のタッチに係るタッチ座標（２組の第１タッチ座標および第２タッチ座標）を特定し、これら２対のタッチに係るタッチ座標を結合辺特定部１３、画素密度比算出部１４、および位置特定部１５へと送信する。以降、当該２対のタッチに係るタッチ座標を、便宜上開始操作の始点および終点と称する。しかしながら、上記２対のタッチは例えば開始操作の途中におけるタッチ座標であっても構わない。
【００１８】
ここで、開始操作検出部１２により検出される開始操作の一例について説明する。図２は、第１表示装置１および第２表示装置２に対する開始操作の具体例を示す図である。指先のマークは操作の始点および終点を示し、図２の（ａ）の白抜き矢印は、指示体をタッチパネル２０の端部領域（第１端部領域）およびタッチパネル６０の端部領域（第２端部領域）に接触させたまま、当該矢印が示す方向にスライドさせるスライド操作を行ったことを示す。
【００１９】
ところで、入力部２１におけるタッチの検出（タッチを示す電気信号の出力）は予め定められた時間間隔で行われるので、タッチ取得部１１も当該時間間隔でタッチ座標を算出している。そのため、タッチパネル２０に対しスライド操作を行うと、タッチ取得部１１はスライド操作（指示体の接触）が終わるまで、上記時間間隔で、連続してタッチ座標を検出し続ける。換言すると、タッチパネル２０に対しスライド操作を行うと、タッチ取得部１１は複数個のタッチ座標、すなわち複数回のタッチを検出する。なお、タッチパネル６０に対しスライド操作を行った場合も同様に、複数個のタッチ座標（複数回のタッチ）が検出される。したがって、開始操作検出部１２は、例えば図２の（ａ）に示すように、タッチパネル２０の端部領域と、タッチパネル６０の端部領域（タッチパネル２０と隣接する辺を含む端部領域）とに略同時にスライド操作が行われた場合、タッチパネル２０および６０に対し端部タッチが略同時に、かつ複数回行われたと判定することができるため、当該操作を開始操作であると判定することができる。
【００２０】
また開始操作検出部１２は、例えば図２の（ｂ）に示すような、タッチパネル２０の端部領域と、タッチパネル６０の端部領域（タッチパネル２０と隣接する辺を含む端部領域）とに対し、略同時かつ複数回タッチした場合も、一連の開始操作であると判定することができる。このように、開始操作検出部１２は、タッチパネル２０および６０に対する所定の開始操作を検出する。そして、開始操作検出部１２が検出した２対計４点のタッチ座標を用いて、以降で説明する結合辺特定部１３、画素密度比算出部１４、および位置特定部１５による処理が行われる。
【００２１】
結合辺特定部１３は、開始操作検出部１２が開始操作を検出した場合に、当該開始操作の始点および終点の座標からタッチパネル２０および６０の結合辺を特定する。なお、「結合辺」とは、タッチパネル２０および６０の一辺であり、かつ他方のタッチパネルと隣接している辺を示す。結合辺が上下左右いずれの辺であるかを特定することにより、タッチパネル２０と６０の結合（隣接）の向き（縦横いずれの向きか、正位置か逆位置か）が分かる。なお、結合辺の具体的な特定方法については後で詳述する。結合辺特定部１３は結合辺を示す情報を、画素密度比算出部１４、位置特定部１５、および仮想画面生成部１６に通知する。
【００２２】
画素密度比算出部１４は、結合辺特定部１３から受信した結合辺を示す情報と、開始操作検出部１２から受信した開始操作の始点および終点の座標から、タッチパネル２０における始点から終点までの移動距離（移動画素数）と、タッチパネル６０における始点から終点までの移動距離とを算出する。そして、画素密度比算出部１４は、これらの移動距離の比率からタッチパネル２０（表示部２２）とタッチパネル６０（表示部６２）との画素密度比を算出する。なお、本発明において「画素密度」とは、ｄｐｉ（dot per inch）など、表示面の所定の面積に含まれる画素（ドット）数を示すものである。画素密度比算出部１４は、算出した画素密度比を位置特定部１５と仮想画面生成部１６とに送信する。
【００２３】
位置特定部１５は、開始操作の始点および終点の座標と、結合辺を示す情報と、画素密度比と、タッチパネル２０および６０の画面サイズとから、タッチパネル２０に対するタッチパネル６０の位置（位置関係）を特定する。なお、ここで言う位置関係とは、例えばタッチパネル２０の結合辺に対するタッチパネル６０の結合辺の位置関係（両結合辺がどの部分で隣接しているか）を示す。それぞれ他方のタッチパネルに隣接している部分を特定する。位置特定部１５の算出した位置関係は、部分画像作成部１７に送信される。
【００２４】
仮想画面生成部１６は、表示制御システム１００において第１表示装置１および第２表示装置２が表示する画像のデータを取得し、当該データと、タッチパネル２０および６０の画面サイズとに基づいて仮想画面の画像を生成する。なお、「仮想画面」とは、タッチパネル２０および６０の表示面を結合辺で結合させた場合の画面、または当該画面を包含する仮想的な画面を示す。仮想画面生成部１６は、生成した仮想画面の画像を部分画像作成部１７に送信する。
【００２５】
部分画像作成部１７は、仮想画面の画像から、結合辺を示す情報と、位置特定部１５の特定したタッチパネル２０とタッチパネル６０との位置関係に応じて、第１表示装置１にて表示する画像と第２表示装置２にて表示する画像とを切り出す。部分画像作成部１７はまた必要に応じて、切り出した画像の画素数を、画素密度比算出部１４が算出した画素密度比と、当該画像を表示する表示装置の画面サイズとに応じて調節（画素を補完または間引き）する。以降、部分画像作成部１７が仮想画面の画像から切り出し、画素数を調節した画像を「部分画像」と称する。また、第１表示装置１（表示部２２）にて表示する部分画像を「第１表示装置１用の部分画像」、第２表示装置２（表示部６２）にて表示する部分画像を「第２表示装置２用の部分画像」と称する。
【００２６】
（第２表示装置２の要部構成）
第２表示装置２は、タッチパネル６０（第２タッチパネル）と、通信部７０と、制御部５０と、記憶部８０とを含む。なお、タッチパネル６０（入力部６１および表示部６２）はタッチパネル２０（入力部２１および表示部２２）と、記憶部８０は記憶部４０と同様の機能を備える。また、通信部７０は、通信部３０と相互通信を行う。
【００２７】
制御部５０は、第２表示装置２を統括的に制御するものである。制御部５０は図示の通り、タッチ取得部（タッチ入力送信手段）５１と、部分画像取得部５２とを含む。タッチ取得部５１は、第１表示装置１のタッチ取得部１１と同様に入力部６１からタッチを示す電気信号を取得し、当該タッチの座標を、通信部７０を介し第１表示装置１へと送信する。部分画像取得部５２は、第１表示装置１の部分画像作成部１７が送信した、第２表示装置２用の部分画像と、当該部分画像の表示起点を示す情報とを取得する。部分画像取得部５２は上記部分画像と表示起点を示す情報とを表示部６２に送信することにより、表示部６２に第２表示装置２用の部分画像を、上記情報が示す表示起点から表示させる。
【００２８】
≪同期処理≫
以降、表示制御システム１００の各種処理について更に詳細に説明する。まず始めに、第１表示装置１および第２表示装置２において開始操作を受け付け可能な状態とするため、これらの装置の同期通信を確立する処理（同期処理）について説明する。図３は、第１表示装置１と第２表示装置２との同期処理の流れを示すフローチャートである。なお、図３に示す処理の流れは、第１表示装置１と第２表示装置２とで共通である。
【００２９】
第１表示装置１の制御部１０（または第２表示装置２の制御部５０）は、ユーザの指示操作等に従い同期用アプリを起動する（Ｓ１００）と、まず始めに同期用アプリの設定を参照することにより、自装置が親機となるのか、子機となるのかを確認する（Ｓ１０２）。自装置が親機となるよう設定されていた場合（Ｓ１０２でＹＥＳ）、制御部１０（または制御部５０）は、子機から画面サイズを含む各種情報が送信されてくるまで待機する（Ｓ１０４でＮＯ）。そして、制御部１０（または制御部５０）は子機から各種情報を受信すると（Ｓ１０４でＹＥＳ）、自装置と当該子機との同期通信を開始する（Ｓ１０６）。一方、同期用アプリ上で自装置が子機となるよう設定されていた場合（Ｓ１０２でＮＯ）、制御部１０（または制御部５０）は同期用アプリで親機と設定されている装置に向けて、自装置の各種情報を送信する（Ｓ１０８）。親機はこれを受領すると、子機（自装置）と親機との同期通信を開始する（Ｓ１１０）。
【００３０】
≪部分画像作成処理≫
続いて、開始操作検出部１２が検出した２対計４点のタッチ座標を用いて、部分画像を作成するために行う一連の処理（部分画像作成処理）の流れおよびその詳細について、図４〜６を用いて説明する。図４は部分画像作成処理の流れを示すフローチャートである。
【００３１】
開始操作検出部１２により開始操作が検出され、当該開始操作の始点および終点となる２対のタッチ入力が検出されると、結合辺特定部１３は当該２対のタッチ入力の始点および終点の座標からタッチパネル２０および６０の結合辺を特定する（Ｓ３００）。
【００３２】
ここで、結合辺の特定方法について詳述する。図５は、第１表示装置１および第２表示装置２における開始操作の始点および終点を示す図である。以降、第１表示装置１における開始操作の始点を始点Ａ、終点を終点Ｂとする。また、第２表示装置２における開始操作の始点を始点Ａ’、終点を終点Ｂ’とする。つまり、点ＡとＡ’、点ＢとＢ’がそれぞれ１対のタッチである。また、各点のタッチ座標を便宜上、タッチパネル２０および６０それぞれの左下点を原点とするＸＹ座標およびＸ’Ｙ’座標で示す。
【００３３】
結合辺特定部１３は、始点ＡおよびＡ’、ならびに終点ＢおよびＢ’それぞれの座標を参照して、これら４点において、タッチパネル２０または６０の左右の端部を示す座標（０、Ｘmax、またはＸ’max）と、タッチパネル２０または６０の上下の端部を示す座標（０、Ｙmax、またはＹ’max）とのいずれが、どのような組み合わせで含まれるかを特定する。例えば図５に示す例の場合、始点Ａおよび終点ＢのＸ座標はいずれもＸmaxである一方、上下の端部を示すＹ座標は始点Ａにも終点Ｂにも含まれない。換言すると、始点Ａ〜終点Ｂ間では、Ｘ座標はＸmaxから変化しない。この場合、結合辺特定部１３は、タッチパネル２０の結合辺が右辺であると特定する。同様に、始点Ａ’および終点Ｂ’はＸ’座標が０である一方、上下の端部を示すＹ’座標はいずれの点も含まない。換言すると、始点Ａ’〜終点Ｂ’間では、Ｘ’座標は０から変化しない。この場合、結合辺特定部１３は、タッチパネル６０の結合辺が左辺であると特定する。特定した結合辺を示す情報は、画素密度比算出部１４および仮想画面生成部１６に送られる。なお、結合辺特定部１３は、開始操作の始点および終点の座標が、タッチパネル２０または６０の上下左右の端部を示す座標（０、Ｘmax、Ｘ’max、Ｙmax、およびＹ’max）に厳密に一致しなくとも、例えば当該端部を示す座標から所定の範囲内の値である場合は上記端部を示す座標であるのと同様であるとみなしてよい。
【００３４】
また、始点Ａおよび終点Ｂのいずれかがタッチパネル２０の２辺の角を示す座標である場合も、上述した方法と同じ方法で結合辺を特定することができる。例えば、始点Ａがタッチパネル２０の右下の隅であった場合、始点Ａの座標は（Ｘmax，０）である。この場合、結合辺特定部１３は、始点Ａの座標と終点Ｂの座標とを比較する。当該比較の結果、終点Ｂの座標のうちＸ座標が始点Ａと一致する（すなわち、始点〜終点間で、Ｙ座標が変化している）場合、結合辺特定部１３は、タッチパネル２０の結合辺が右辺であると特定する。一方、始点Ｂの座標のうち、Ｙ座標が始点Ａと一致する（すなわち、始点〜終点間でＸ座標が変化している）場合は、結合辺特定部１３は、タッチパネル２０の結合辺が下辺であると特定する。なお、結合辺特定部１３はタッチパネル６０の結合辺の特定についても、同様の処理を行えばよい。
【００３５】
画素密度比算出部１４は結合辺を示す情報を結合辺特定部１３から受信すると、結合辺と、上記２対のタッチのタッチパネル２０および６０においての距離とから、タッチパネル２０と６０との画素密度比を算出する（Ｓ３０２）。例えば図５に示す例の場合、タッチパネル２０の結合辺は右辺であり、タッチパネル６０の結合辺は左辺である。この場合、画素密度比算出部１４は、始点Ａ〜終点Ｂ間の、Ｙ軸方向の画素数（｜ＩＮｙ１−ＯＵＴｙ１｜）と、始点Ａ’〜終点Ｂ’間のＹ軸方向の画素数（｜ＩＮｙ２−ＯＵＴｙ２｜）とを算出し、これらの画素数の比をとることにより、画素密度比を算出する。これは、図示の通り始点ＡとＡ’、終点ＢとＢ’とが１対のタッチであり点Ａ〜Ｂ間の物理的距離と点Ａ’〜Ｂ’間の物理的距離が等しいので、点Ａ〜Ｂ間の画素数と点Ａ’〜Ｂ’の画素数との比がそのまま画素密度比となるからである。換言すると、画素密度比算出部１４が算出した画素密度比からは、一画素に対するタッチパネル２０とタッチパネル６０との物理的な大きさの比が分かる。画素密度比算出部１４が算出した画素密度比は、位置特定部１５と、部分画像作成部１７とに送信される。
【００３６】
画素密度比算出部１４が算出したタッチパネル２０と６０との画素密度比と、タッチパネル２０および６０の画面サイズ（画面の画素数）とを組み合わせると、タッチパネル２０とタッチパネル６０との画面の物理的な画面サイズ（インチ数など）の比が分かる。そのため、仮想画面生成部１６はタッチパネル２０および６０それぞれの表示領域の物理的な画面サイズに応じて、仮想画面の画像を作成することができる。
【００３７】
なお、画素密度比算出部１４は、結合辺特定部１３から結合辺に係る情報を必ずしも受信しなくてもよい。結合辺に係る情報を受信しない場合、画素密度比算出部１４は、タッチパネル２０および６０それぞれの開始操作の始点〜終点間の画素数のうち、画素数が大きい（移動距離が大きい）方の方向（Ｘ軸方向またはＹ軸方向）の画素数の比をとって画素密度比を算出すればよい。これは、開始操作の始点および終点はいずれも端部タッチであり、Ｘ軸方向またはＹ軸方向いずれかの座標は、始点〜終点間でほとんど変わらないためである。
【００３８】
位置特定部１５は、開始操作の始点および終点の少なくともいずれか１対の座標と、結合辺を示す情報と、画素密度比と、タッチパネル２０および６０の画面サイズとから、タッチパネル２０とタッチパネル６０との位置関係（タッチパネル２０および６０が隣接している部分）を特定する（Ｓ３０４）。具体的には、まず位置特定部１５は、開始操作の始点または終点の１対のタッチ座標から、タッチパネル２０および６０の結合辺の両端の点（端点）の座標を特定する。図５に示す例では、第１表示装置１の結合辺は右辺であるので、タッチパネル２０の結合辺の両端の点はそれぞれ、Ｃ（Ｘmax，Ｙmax）およびＤ（Ｘmax，０）であり、タッチパネル６０の結合辺の両端の座標は、Ｅ’（０，Ｙ'max）およびＦ’（０，０）である。次に、位置特定部１５は、開始操作の始点ＡおよびＡ’、終点ＢおよびＢ’から最も近い端点をそれぞれ特定する。図５の場合、端点Ｃと始点Ａ、終点Ｂ’と端点Ｆ’との距離が最も近くなる。次に位置特定部１５は、始点と最も近い端点Ｃおよび終点と最も近い端点Ｆ’とそれぞれ対になる点Ｃ’およびＦをそれぞれ特定する。これにより、点Ｃ〜Ｆ間および点Ｃ’〜Ｆ’間が、タッチパネル２０および６０が隣接している部分であり、点Ｅ’〜点Ｃ’間および点Ｆ〜点Ｄ間が、タッチパネル２０および６０が隣接していない部分であると分かる。位置特定部１５は、タッチパネル２０と６０との位置関係を示す情報を、部分画像作成部１７に送信する。
【００３９】
仮想画面生成部１６は、タッチパネル２０および６０の画面サイズと、結合辺特定部１３が特定した結合辺と、画素密度比とに応じて仮想画面の画像を生成する（Ｓ３０６）。図６の（ａ）は、第１表示装置１および第２表示装置２の画面サイズと結合の向き（結合辺）とを示しており、図６の（ｂ）は（ａ）に示す第１表示装置１にて作成される仮想画面の画像αを示している。なお、図６の（ａ）に示すａおよびｂはそれぞれ、第１表示装置１のタッチパネル２０の縦方向（Ｙ軸方向）および横方向（Ｘ軸方向）の画素数を示している。また、同図のｃおよびｄはそれぞれ、第２表示装置２のタッチパネル６０の縦方向（Ｙ’軸方向）および横方向（Ｘ’軸方向）の画素数を示している。加えて、図６の（ｂ）に示すｅおよびｆはそれぞれ、仮想画面の画像の縦方向および横方向の画素数を示している。
【００４０】
仮想画面生成部１６はまず、タッチパネル６０の画面サイズと、画素密度比算出部１４が算出した画素密度比とを用いて、タッチパネル６０の画面の解像度を第１表示装置１の画面の解像度に換算した場合の、タッチパネル６０の画面サイズ（換算画面サイズと称する）を算出する。
【００４１】
例えば、図６の（ａ）の例の場合、タッチパネル６０の換算画面サイズは、結合辺の方向（Ｙ’軸方向）が（ｃ×タッチパネル２０の画素密度／タッチパネル６０の画素密度）、結合辺に垂直な方向（Ｘ’軸方向）が（ｄ×タッチパネル２０の画素密度／タッチパネル６０の画素密度）となる。仮想画面生成部１６はこの換算画面サイズと、タッチパネル２０の画面サイズとから、以下のような大きさで仮想画面を生成する（図６の（ｂ））。
【００４２】
（結合辺の方向の画素数ｅ）≧（タッチパネル２０の結合辺の方向の画素数ａ、またはタッチパネル６０の結合辺方向の換算画面サイズ）
（結合辺と垂直方向の画素数ｆ）≧（タッチパネル２０の結合辺と垂直方向の辺の画素数ｂ）＋（タッチパネル６０の、結合辺と垂直方向の辺の換算画面サイズ）
このように作成された仮想画面の画像は、部分画像作成部１７へと送信される。なお、図６の（ｂ）の例ではタッチパネル２０の大きさに合わせて（タッチパネル６０の画面サイズをタッチパネル２０の画素密度に換算して）仮想画面の画像を作成することとしたが、例えばタッチパネル６０の画素密度を基準として仮想画面を作成してもよい。
【００４３】
部分画像作成部１７は、結合辺と、画素密度比と、タッチパネル２０とタッチパネル６０との位置関係とに応じて、仮想画面の画像からタッチパネル２０および６０がそれぞれ表示する画像を切り出す（Ｓ３０８）。図６の（ｃ）は、図６の（ｂ）に示す仮想画面の画像αから作成される画像β１およびβ２を示す図である。画像β１は第１表示装置１用の画像であり、画像β２は第２表示装置２用の画像である。部分画像作成部１７は、仮想画面の画像から、位置特定部１５が算出した、結合辺の隣接部分を考慮して部分画像を切り出す。具体的には、部分画像作成部１７は、位置特定部１５が算出した、結合辺の隣接部分で画像β１およびβ２が繋がる（連続した画像となる）ように画像β１およびβ２を切り出す。図６の（ｃ）の場合、結果として仮想画面αには含まれていたが、画像β１およびβ２には含まれない領域α’が生じる。
【００４４】
また、部分画像作成部１７は、画像を各表示装置の表示部で表示する際の、表示起点を決定する（Ｓ３１０）。図６の（ｄ）は、（ｃ）に示した画像β１およびβ２を、表示起点γ１およびγ２からタッチパネル２０および６０にて表示した例を示す。図示のように、部分画像作成部１７は、タッチパネル２０および６０において画像を表示する際の基準点を表示起点として定める。なお、本実施形態では表示起点に部分画像の左上隅を合わせて表示することとしたが、表示起点と部分画像との位置関係はこれに限られない。さらに部分画像作成部１７は、画素密度比に応じて切り出した画像の解像度の調節（画素の補完および間引き）を行う（Ｓ３１２）。例えば、第１表示装置１と第２表示装置２との画素密度比が１：２の場合、部分画像作成部１７は、第２表示装置２の画像β２の画素数が倍になるように、画素を補完する。以上の処理により部分画像作成部１７は、第１表示装置１および第２表示装置２のタッチパネルの解像度に応じた部分画像を作成することができる。
【００４５】
≪システム全体の処理の流れ≫
最後に、表示制御システム１００における処理の流れについて、図７を用いて説明する。図７は、表示制御システム１００の処理の流れを示すフローチャートである。まず始めに、第１表示装置１および第２表示装置２は、図３において示した同期処理をそれぞれ行い、自装置が親機であるか子機であるかを決める（Ｓ１０およびＳ５０）。同期処理が完了した後、第１表示装置および第２表示装置は同期通信を行いながら、それぞれ入力部２１および入力部６１においてタッチを検出するまで待機する（Ｓ１２でＮＯおよびＳ５２でＮＯ）。ここで、第１表示装置１において入力部２１がタッチを検出した場合（Ｓ１２でＹＥＳ）、タッチ取得部１１がタッチ座標を算出し（Ｓ１３）、開始操作検出部１２へと送信する。また第２表示装置２でも同様に、入力部６１がタッチを検出すると（Ｓ５２でＹＥＳ）、タッチ取得部５１はタッチ座標を算出し、当該座標を第１表示装置１へと送信し（Ｓ５４）第１表示装置の開始操作検出部１２はこれを受信する（Ｓ１４）。
【００４６】
開始操作検出部１２は、タッチ取得部１１および第２表示装置の両方からタッチ座標を受信すると（Ｓ１５でＹＥＳ）、まず端部タッチ判定部１２Ａにて、これらのタッチが端部タッチであるか否かを判定する（Ｓ１６）。タッチ取得部１１から受信したタッチ座標と、第２表示装置受信したタッチ座標との両方が端部タッチである場合（Ｓ１６でＹＥＳ）、開始操作検出部１２は次に、同時タッチ判定部１２Ｂにより、これらのタッチ（第１タッチおよび第２タッチ）が略同時に行われたタッチ（同時タッチ）であるか否かを判定する（Ｓ１８）。第１タッチおよび第２タッチが略同時に行われたタッチである場合（Ｓ１８でＹＥＳ）、同時タッチ判定部１２Ｂは、第１タッチおよび第２タッチを１対のタッチと判定し（Ｓ２０）、第１タッチ座標および第２タッチ座標を対応付ける。次に、複数タッチ判定部１２Ｃは、上記１対のタッチが所定時間内に複数回検出されたか否かを判定する（Ｓ２２）。上記１対のタッチが所定時間内に複数回検出された場合（Ｓ２２でＹＥＳ）、開始操作検出部１２は、所定時間内に検出された複数対のタッチを、一連の開始操作と検出し（Ｓ２４）、当該開始操作の始点と終点とを算出する。なお、予め定められた時間内にタッチ取得部１１が検出したタッチ座標または第２表示装置から受信したタッチ座標のいずれか一方しか受信しなかった場合（Ｓ１５でＮＯ）、タッチ取得部１１が検出したタッチ座標または第２表示装置から受信したタッチ座標のいずれかが端部タッチでない場合（Ｓ１６でＮＯ）、タッチ取得部１１が検出したタッチ座標と第２表示装置から受信したタッチ座標とが略同時に行われたタッチでない場合（Ｓ１８でＮＯ）、および、所定時間内に１対のタッチを複数回検出できなかった場合（Ｓ２２でＮＯ）、開始操作検出部１２により、これらのタッチは開始操作に係るタッチではないと判定される。この場合、第１表示装置１は入力部２１にてタッチを受け付けつつ、第２表示装置からタッチ座標を受信するまで待機する。
【００４７】
開始操作検出部１２において開始操作が検出されると、第１表示装置１は当該開始操作における２対のタッチ入力（開始操作の始点および終点）の座標を用いて、図４にて説明した部分画像作成処理を行う（Ｓ３０）。部分画像作成部１７は部分画像作成処理を経て、第１表示装置１用および第２表示装置２用の部分画像を作成すると、第２表示装置２に第２表示装置２用の部分画像と、当該部分画像の表示起点を示す情報とを送信する（Ｓ３２）とともに、第１表示装置１用の部分画像を、当該部分画像の表示起点に応じて表示部２２に表示させる（Ｓ３４）。第２表示装置２の部分画像取得部５２は、部分画像および表示起点を示す情報を受信すると（Ｓ５６）、表示起点の位置から、上記部分画像を表示する（Ｓ５８）。
【００４８】
〔実施形態２〕
上述した実施形態１では、タッチパネル２０と６０とは、１つの仮想画面の画像から切り出した連続した部分画像を表示する。しかしながら、本発明に係る表示制御システム１００は、タッチパネル２０（表示部２２）とタッチパネル６０（表示部６２）とで別個の画像（連続しない画像）を表示してもよい。例えば、タッチパネル２０と６０とに、それぞれ別のアプリケーションの画像を表示させるようにしてもよい。以下、本発明の第２の実施形態について説明する。なお、実施形態１にて説明した部材と同じ機能を有する部材については、同じ符号を付記しその説明を省略する。
【００４９】
本実施形態に係る第１表示装置１は、位置特定部１５、仮想画面生成部１６、および部分画像作成部１７を備えていなくてもよい。この場合、第１表示装置１はタッチパネル２０とタッチパネル６０との位置関係の算出（図４のＳ３０４）、仮想画面の生成（図４のＳ３０６）、部分画像の作成（図４のＳ３０８〜３１２）を行わなくてもよい。すなわち、制御部１０は、タッチパネル２０および６０について、画像を同期させて表示させることができればよい。
【００５０】
〔実施形態３〕
本発明に係る表示制御システム１００は、３つ以上の表示装置を連動させて画像を表示するシステムであってもよい。以下、本発明の第３の実施形態について、図８を用いて説明する。図８の（ａ）および（ｂ）は、表示制御システム１００に、第３表示装置３を加え、第１表示装置１、第２表示装置２、および第３表示装置３とでマルチディスプレイを実現する場合の例を示している。
【００５１】
本発明に係る表示制御システム１００は、表示装置が増加した場合も、実施形態１および２にて説明した処理と同様の処理を繰り返すことにより、増加分の表示装置も用いてマルチディスプレイを実現することができる。例えば、図８の（ａ）のように、横一列に第１表示装置１、第２表示装置２、および第３表示装置３を並べた場合でも、図８の（ｂ）のように、これら３装置を上下左右に隣接させた場合でも、ユーザは各装置間でそれぞれ所定の開始操作を行えばよい。なお、この場合、第３表示装置３に対するタッチ（第３タッチ）は、第２表示装置２を介して親機である第１表示装置１に送信されてもよいし、第１表示装置１に直接送信されてもよい。そして、結合辺特定部１３は各装置間の結合辺をそれぞれ特定し、画素密度比算出部１４は各装置の画素密度比を算出し、位置特定部は各タッチパネル間の位置関係を算出すればよい。そして、仮想画面生成部は第１表示装置１、第２表示装置２、および第３表示装置３の画面サイズに応じて仮想画面の画像を生成し、部分画像作成部１７は、これら３装置それぞれのための部分画像を作成すればよい。
【００５２】
〔変形例〕
なお、図４にて説明した部分画像作成処理は、第１表示装置１および第２表示装置２と別個の装置、例えばネットワーク上のサーバに行わせてもよい。部分画像作成処理を第１表示装置１および第２表示装置２と別個の装置が行う場合、開始操作検出部１２、結合辺特定部１３、画素密度比算出部１４、位置特定部１５、仮想画面生成部１６、および部分画像作成部１７はサーバが備えることとなる。なお、この場合第１表示装置１は少なくとも第２表示装置２と同様の構成を備えていればよい。サーバ等別個の装置で部分画像作成処理を行う場合、第１表示装置１のタッチ取得部１１および第２表示装置２のタッチ取得部５１は、上記サーバに取得したタッチ座標を送信する。そしてサーバは部分画像作成処理を行い、作成した（解像度調節済みの）部分画像を第１表示装置１および第２表示装置２にそれぞれ送信し、表示させればよい。
【００５３】
また、上記各実施形態では、第１表示装置１は部分画像作成部１７にて第２表示装置２用の部分画像を作成し、当該第２表示装置２に送信することとした。しかしながら、第１表示装置１は第２表示装置用の部分画像の作成を行わず、第２表示装置自身に仮想画面の画像の生成および部分画像の作成を行わせてもよい。換言すると、第１表示装置１が行う部分画像作成処理（図４）のうち、仮想画面の画像の作成（Ｓ３０６）、仮想画面の画像からの画像の切出し（Ｓ３０８）、表示起点の決定（Ｓ３１０）、および部分画像の作成（Ｓ３１２）の処理は、第１表示装置だけでなく第２表示装置でも行われてもよい。また、Ｓ３１２の処理において、部分画像は第１表示装置１および第２表示装置２がそれぞれ自装置の分だけ作成すればよい。また、第１表示装置１は図７のＳ３２の処理を行わなくてもよい。
【００５４】
この場合、第２表示装置は、第１表示装置１が備える仮想画面生成部１６、および部分画像作成部１７と同様の機能ブロックを備える。また、第１表示装置１のタッチ取得部１１は算出したタッチ座標を、結合辺特定部１３は結合辺を示す情報を、画素密度比算出部１４は画素密度比を、位置特定部１５はタッチパネル２０および６０の位置関係を示す情報を、それぞれ第２表示装置２に送信する。第２表示装置２は受信したタッチ座標、結合辺（を示す情報）、画素密度比の値、位置関係（を示す情報）と、自装置にて検出したタッチ座標とから、第１表示装置１にて行われるのと同様に仮想画面の画像の生成（Ｓ３０６）、当該仮想画面の画像からの、自装置用の画像の切出し（Ｓ３０８）、切り出した画像の表示起点の決定（Ｓ３１０）、および自装置の画素密度に応じた部分画像の作成（Ｓ３１２）を行う。
【００５５】
これにより、第１表示装置１および第２表示装置２は、マルチディスプレイを実現することができる。このように、第１表示装置１および第２表示装置２でそれぞれ自装置が表示するための部分画像を作成することにより、第１表示装置１は第２表示装置に画像を送信する必要が無くなる。したがって、第１表示装置１から第２表示装置２に送信する情報のサイズを小さくすることができ、第１表示装置１と第２表示装置２との同期通信を遅延なく行うことがより容易になる。
【００５６】
〔ソフトウェアによる実現例〕
第１表示装置１、第２表示装置２、および第３表示装置３の制御ブロック（特に制御部１０および制御部５０）は、集積回路（ＩＣチップ）等に形成された論理回路（ハードウェア）によって実現してもよいし、ＣＰＵ（Central Processing Unit）を用いてソフトウェアによって実現してもよい。
【００５７】
後者の場合、第１表示装置１、第２表示装置２、および第３表示装置３は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００５８】
〔まとめ〕
本発明の態様１に係る表示装置（第１表示装置１）は、第１タッチパネル（タッチパネル２０）を備え、上記第１タッチパネルと結合辺で隣接している第２タッチパネル（タッチパネル６０）を備える第２表示装置（第２表示装置２）と連動し画像を表示する表示装置であって、上記第１タッチパネルの１辺を含む所定の領域である第１端部領域（端部領域）に対する第１タッチ入力（第１タッチ）と、上記第１タッチ入力と略同時に検出された、上記第２タッチパネルの１辺を含む所定の領域である第２端部領域（端部領域）に対する第２タッチ入力（第２タッチ）とを１対のタッチ入力として、互いに位置の異なる複数回の上記１対のタッチ入力を検出する検出手段（開始操作検出部１２）と、上記検出手段が検出した複数回の上記１対のタッチ入力の上記第１タッチパネルおよび上記第２タッチパネルにおける位置から、上記第１タッチパネルおよび上記第２タッチパネルの上記結合辺を特定する結合辺特定手段（結合辺特定部１３）と、上記検出手段が検出した複数回の上記１対のタッチ入力の上記第１タッチパネルおよび上記第２タッチパネルにおける位置から、上記第１タッチパネルおよび上記第２タッチパネルの画素密度比を算出する画素密度比算出手段（画素密度比算出部１４）と、を備える。
【００５９】
ここで、結合辺とは、第１タッチパネルおよび第２タッチパネルそれぞれの１辺であり、他方のタッチパネルと隣接している辺を示す。したがって、結合辺特定手段は結合辺を特定することにより、第１タッチパネルと第２タッチパネルとがそれぞれどの辺で隣接しているかを特定することができる。また、画素密度比算出手段は、上記複数回の１対のタッチ入力から画素密度比を算出することができる。そのため、第１タッチパネルと第２タッチパネルのそれぞれの画素密度、すなわちｄｐｉなどの解像度を規定する情報を保持していなくともよい。したがって、表示装置は、画面の解像度が異なる表示装置間でマルチディスプレイを実現することができる。
【００６０】
本発明の態様２に係る表示装置は、上記態様１において、上記結合辺特定手段が特定した上記結合辺と、上記第１タッチパネルおよび上記第２タッチパネルの表示画素数（画面サイズ）と、上記画素密度比算出手段が算出した上記画素密度比とに基づいて、上記第１タッチパネルおよび上記第２タッチパネルにそれぞれ表示するための画像（部分画像）を、上記第１タッチパネルおよび上記第２タッチパネルのそれぞれの表示領域の大きさに応じた大きさで作成する画像作成手段（部分画像作成部１７）を備えていてもよい。
【００６１】
上記構成によると画像作成手段は、第１タッチパネルおよび第２タッチパネルにそれぞれ表示するための画像を第１タッチパネルおよび第２タッチパネルの表示領域（物理的サイズ）に応じて作成することができる。したがって、表示装置は、画面の解像度（物理サイズに対する画素数）が異なる表示装置および第２表示装置に、それぞれの表示装置のタッチパネルの解像度に応じた画像をマルチディスプレイで表示させることができる。
【００６２】
本発明の態様３に係る表示装置は、上記態様２において、上記結合辺特定手段が特定した上記結合辺と、上記第１タッチパネルおよび上記第２タッチパネルの表示画素数と、上記画素密度比算出手段が算出した上記画素密度比と、上記複数回のうちの少なくとも１回の上記１対のタッチ入力の上記第１タッチパネルおよび上記第２タッチパネルにおける位置とに基づいて、上記第１タッチパネルに対する上記第２タッチパネルの位置を特定する位置特定手段（位置特定部１５）を備えていてもよい。
【００６３】
上記構成によると、位置特定手段は、第１タッチパネルに対する第２タッチパネルの位置、例えば第１タッチパネルの結合辺に対する第２タッチパネルの結合辺の位置関係（両結合辺がどの部分で隣接しているか）を算出することができる。これにより、第１タッチパネルの結合辺と第２タッチパネルの結合辺との長さが一致しない場合や、それぞれの結合辺の一部が隣接している場合などでも、表示装置および第２表示装置に画像を適切に連動させて表示させることができる。
【００６４】
本発明の態様４に係る表示装置（第２表示装置２）は、第２タッチパネル（タッチパネル６０）を備え、上記第２タッチパネルと結合辺で隣接している第１タッチパネル（タッチパネル２０）を備える第１表示装置（第１表示装置１）と連動し画像を表示する表示装置であって、上記第１タッチパネルの１辺を含む所定の領域である第１端部領域に対する第１タッチ入力と、上記第１タッチ入力と略同時に検出された、上記第２タッチパネルの１辺を含む所定の領域である第２端部領域に対する第２タッチ入力とを１対のタッチ入力として、互いに位置の異なる複数回の上記１対のタッチ入力を上記第１表示装置が検出するために、複数回の上記第２タッチ入力の位置を示す情報を上記第１表示装置に送信するタッチ入力送信手段（タッチ取得部５１）と、を備える。
【００６５】
上記構成によると表示装置は上記態様１に係る表示装置と同様の効果を奏する。
【００６６】
本発明の態様５に係るサーバは、第１タッチパネル（タッチパネル２０）を備える第１表示装置（第１表示装置）、および上記第１タッチパネルと結合辺で隣接している第２タッチパネル（タッチパネル６０）を備える第２表示装置（第２表示装置２）に、互いに連動し画像を表示させるサーバであって、上記第１タッチパネルの１辺を含む所定の領域である第１端部領域に対する第１タッチ入力と、上記第１タッチ入力と略同時に検出された、上記第２タッチパネルの１辺を含む所定の領域である第２端部領域に対する第２タッチ入力とを１対のタッチ入力として、互いに位置の異なる複数回の上記１対のタッチ入力を検出する検出手段（開始操作検出部１２）と、上記検出手段が検出した複数回の上記１対のタッチ入力の上記第１タッチパネルおよび上記第２タッチパネルにおける位置から、上記第１タッチパネルおよび上記第２タッチパネルの上記結合辺を特定する結合辺特定手段（結合辺特定部１３）と、上記検出手段が検出した複数回の上記１対のタッチ入力の上記第１タッチパネルおよび上記第２タッチパネルにおける位置から、上記第１タッチパネルおよび上記第２タッチパネルの画素密度比を算出する画素密度比算出手段（画素密度比算出部１４）と、を備える。
【００６７】
上記構成によるとサーバは上記態様１および４に係る表示装置と同様の効果を奏する。
【００６８】
本発明の各態様に係る表示装置、およびサーバは、コンピュータによって実現してもよく、この場合には、コンピュータを上記表示装置または上記サーバが備える各手段として動作させることにより上記表示装置または上記サーバをコンピュータにて実現させる表示装置またはサーバの表示制御プログラム、およびそれを記録したコンピュータ読み取り可能な記録媒体も、本発明の範疇に入る。
【００６９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００７０】
本発明は、スマートフォン、タブレット端末など表示装置としてタッチパネルを備えた携帯端末等に特に好適に利用することができる。
【符号の説明】
【００７１】
１  第１表示装置（表示装置）、２  第２表示装置（表示装置）、１２  開始操作検出部（検出手段）、１３  結合辺特定部（結合辺特定手段）、１４  画素密度比算出部（画素密度比算出手段）、１５  位置特定部（位置特定手段）、１７  部分画像作成部（画像作成手段）、５１  タッチ取得部（タッチ入力送信手段）
【図１】
2016051110.tif 000003
【図２】
2016051110.tif 000004
【図３】
2016051110.tif 000005
【図４】
2016051110.tif 000006
【図５】
2016051110.tif 000007
【図６】
2016051110.tif 000008
【図７】
2016051110.tif 000009
【図８】
2016051110.tif 000010